(57)【要約】      （修正有）【課題】設置上の利便性を備え、同時に施工の作業コストを効果的に抑えるとともに、スマートモニタリング機能を兼ね備えた、スマートガスモニタリング装置を提供する。【解決手段】座体１０と、センサーユニット２０と、スマートモニタリングユニット３０と、ハウジング４０を含み、センサーユニットとスマートモニタリングユニットが電気的に接続されてハウジング内に設置され、一体として統合され、ハウジングが迅速に座体と結合または分離でき、センサーユニットがＣＯおよび／またはガスを検知して、対応する検知信号を出力し、スマートモニタリングユニットがモニタリング装置３１とワイヤレス通信モジュール３２を含み、モニタリング装置がワイヤレス通信モジュールを介して無線伝送方式でスマートガスメーターに接続し、モニタリング装置がセンサーユニットに電気的に接続されて、スマートモニタリングユニットがワイヤレス通信モジュールを介してクラウドデータベース及びコントロールセンターに通信接続する。【選択図】図３
0003229817.tif 000002
【実用新案登録請求の範囲】
【請求項１】
コントロールセンターに通信接続されたクラウドデータベースと通信接続でき、マイコンガスメーターのモニタリングとガス使用データの収集に用いるスマートガスモニタリング装置であって、座体と、センサーユニットと、スマートモニタリングユニットと、ハウジングと、を含み、
前記座体が少なくとも結合部を備え、
前記センサーユニットが、ＣＯおよび／またはガスを検知し、対応する検知信号を出力する少なくとも１つの検知器を含み、
前記スマートモニタリングユニットが、モニタリング装置と、ワイヤレス通信モジュールを含み、前記モニタリング装置が前記ワイヤレス通信モジュールを介して無線伝送方式でスマートガスメーターに接続され、ガス度数の取得と双方向のデータ及び信号伝送に用いられ、前記モニタリング装置が前記センサーユニットに電気的に接続され、前記検知信号の取得に用いられ、前記モニタリング装置が少なくとも外部電源に電気的に接続された電力入力コネクタを備え、前記電力入力コネクタが前記センサーユニット及び前記スマートモニタリングユニットに電気的に接続され、外部電源を前記センサーユニットと前記スマートモニタリングユニットに供給し、前記モニタリング装置が前記ワイヤレス通信モジュールに電気的に接続され、前記クラウドデータベースと通信接続し、前記モニタリング装置が前記ワイヤレス通信モジュールを通じて前記ガス度数と前記検知信号を前記クラウドデータベース及び前記コントロールセンターに伝送し、かつ前記コントロールセンターからの制御信号を受信して、前記マイコンガスメーターに対しオフ、オン、復帰の操作を実行させることができ、
前記ハウジングが、前記センサーユニットと前記スマートモニタリングユニットを収容し、前記ハウジングと前記座体を相互に重ねて結合することができ、前記ハウジングが少なくともハウジング底部を備え、前記ハウジング底部が前記座体の結合部と結合させるためのクイック結合部材を備えている、
ことを特徴とする、スマートガスモニタリング装置。
【請求項２】
前記センサーユニットが、ＣＯ検知器および／またはガス検知器を含み、前記ＣＯ検知器がＣＯを検知したとき第１検知信号を出力し、前記ガス検知器がガスを検知したとき第２検知信号を出力することができる、ことを特徴とする、請求項１に記載のスマートガスモニタリング装置。
【請求項３】
前記ハウジングが第１ハウジングと、第２ハウジングを含み、前記センサーユニットが前記第１ハウジング内に設置され、前記スマートモニタリングユニットが前記第２ハウジング内に設置され、前記第１ハウジングと前記第２ハウジングが係合と位置決めにより相互に重ねて結合可能であり、前記ハウジング底部と前記クイック結合部材が前記第２ハウジングに設置される、ことを特徴とする、請求項１に記載のスマートガスモニタリング装置。
【請求項４】
前記ハウジング底部の前記クイック結合部材が、前記座体の方向に延伸された少なくとも２つの延伸部を含み、前記延伸部の末端に係止片が設けられ、前記ハウジング底部と前記延伸部が同一の回転点を回転の中心として第１位置から第２位置まで回動させることができ、前記座体の前記結合部が前記クイック結合部材の数量に合わせて対応する嵌合片を含み、前記ハウジング底部の前記延伸部を前記座体の方向に前記第１位置に挿入すると、前記ハウジング底部と前記座体を結合させることができ、前記回転点を回転の中心として前記ハウジング底部を前記第１位置から前記第２位置まで回動させると、前記延伸部の前記係止片を対応する前記結合部の前記嵌合片と相互に嵌合させることができる、ことを特徴とする、請求項１または３に記載のスマートガスモニタリング装置。
【請求項５】
前記ワイヤレス通信モジュールが、Ｌｏｒａ、ＷｉＦｉ、３Ｇ、４Ｇ、Ｂｌｕｅｔｏｏｔｈ（登録商標）通信モジュールのうちのいずれかを含む、ことを特徴とする、請求項１に記載のスマートガスモニタリング装置。
【請求項６】
前記ハウジング内に設置されたバックアップ電力ユニットを含み、前記バックアップ電力ユニットが、少なくとも充電池と、電源管理回路と、電源アダプタを含み、前記バックアップ電力ユニットが前記電力入力コネクタに電気的に接続され、前記電源管理回路が前記電源アダプタを制御し、外部電源を使用して前記充電池に充電させ、前記電源管理回路が外部電源の切断または停電期間中、前記充電池を制御して前記スマートガスモニタリング装置に必要な電力を供給させる、ことを特徴とする、請求項１に記載のスマートガスモニタリング装置。
【考案の詳細な説明】
【技術分野】
【０００１】
本考案はマイコンガスメーターのモニタリング装置に関し、特に、検知器とスマートモニタリング装置を一体として統合し、設置の利便性とスマートモニタリングの機能を達成できる、スマートガスモニタリング装置に関する。
【背景技術】
【０００２】
従来の機械式ガスメーターはユーザーのガス使用度数を計算することはできるが、毎月または２か月毎にユーザーのガス使用度数を取得する作業には大量の人力を投入して各家庭の検針を行う必要があり、それによりメーターに基づいた料金計算と徴収の作業を完了している。この過程は全体に時間がかかり、係争が生じやすく、人為的ミスの発生率が高くなっており、かつ大量の人件費を要する。
【０００３】
また、従来の機械式ガスメーターはガス使用度数の計算ができるのみで、ガス供給自動切断機能はなく、ガス洩れ、一酸化炭素（ＣＯ）濃度が高すぎる、または地震災害などの状況が発生した場合、ユーザーの安全を保障することができない。このため、台湾経済部エネルギー局は２０１４年から自動切断機能を備えたマイコンガスメーターの普及推進を開始している。
【０００４】
現有のマイコンガスメーターは計量機能のみを備えた従来の機械式ガスメーターと異なり、既知のマイコンガスメーターにはガス漏れ検知保護、一酸化炭素検知保護、地震遮断等の安全保護機能を含む、複数の安全保護機能がある。既知のマイコンガスメーターの構造は、少なくとも、遮断弁、内蔵電源、地震感知器、流量検知器、マイコンチップ、圧力検知器、計量部、計量指示器、復帰装置を含み、外部のガス漏れ検知器と一酸化炭素検知器に接続することができる。上述の構造を通じて、該マイコンガスメーターは次の五大機能を達成することができる。
【０００５】
１、地震や管路の切断時、自動的にガスの機能を遮断できる。
２、シミュレーション機能を備え、所定の安全な使用時間を超過した場合自動的にガスの機能を遮断できる。
３、流量過多またはガス漏れ検知時の自動ガス遮断機能を備えている。
４、ガス（ＧＡS）漏れが検知されたとき、自動的にガスの機能を遮断できる。
５、一酸化炭素（ＣＯ）検知機能と自動ガス遮断機能を備えている。
【０００６】
従来の機械式ガスメーターが人力による検針に依存している問題を解決するため、すでに批准・公告されている台湾実用新案登録番号第ＴＷ  Ｍ４８４１３８Ｕ号は、「クラウドガスメーター管理サービスシステム」を提示している。主にユーザー側に認証コード（ＩＤ）を内蔵するガスメーターと、対応する通信無線機を設置し、ユーザー側のガス使用量とガスメーターの動作状態をクラウドバックエンドとデータベースを備えたガスメーター通信プラットフォームでモニタリングして記録し、かつサーバー側が管理インターフェイスを備えたバックエンドの設置を通じて、設置されたガスメーターとの検証を行った後、該ガスメーターの通信プラットフォームに進入してガスメーターの関連情報を読み取ることで、遠隔によるガス検針、定期検査または通報サービス等の作業を完了し、人力による検針のコストと人為的ミス発生率を下げる目的を達成することができる。しかしながら、このマイコンガスメーターはやはり作業員を現場に派遣して通信無線機をスキャンする必要があり、一般に２か月に１回スキャンを行い、かつ２〜３年毎に通信無線機のリチウム電池を交換する必要がある。
【０００７】
また、前述のユーザー側のマイコンガスメーターは識別コード（ＩＤ）を内蔵し、かつ対応する通信無線機が設置され、マイコンガスメーターは対応する通信無線機を通じてコントロールセンター及びクラウドデータベースに通信接続する必要がある。通信無線機は内部に電池（例えばリチウム電池）が設置されており、リチウム電池の電力が尽きると遠隔モニタリングと遠隔検針の機能を実現することができない。現行の関連規定によれば、マイコンガスメーターは定期交換が必要であり（ガス会社が交換の責任を負う）、毎回マイコンガスメーターを交換すると同時に対応する通信無線機を交換する必要があり、現有のマイコンガスメーターの交換コストが高いことは明白である。
【０００８】
従来のＣＯ及びガス漏れ検知器は、独立した設備であり、通常天井に取り付けられる。ユーザーがマイコンガスメーターをモニタリングできる通信無線機またはモニタリング装置を設置したい場合、現有のＣＯ及びガス漏れ検知器以外にさらにそのような通信無線機またはモニタリング装置を設置しなければならず、設置スペースを見つけなければならないだけでなく、別途電源に接続する必要もあるため、施工の手間と作業コストが増加する。
【先行技術文献】
【特許文献】
【０００９】
【特許文献１】台湾実用新案登録番号第ＴＷ  Ｍ４８４１３８Ｕ号明細書
【考案の概要】
【考案が解決しようとする課題】
【００１０】
本考案が解決を図る技術的問題は、センサーユニットとスマートモニタリングユニットを一体として統合し、設置上の利便性を備え、同時に施工の作業コストを効果的に抑えるとともに、スマートモニタリング機能を兼ね備えた、スマートガスモニタリング装置を提供することにある。
【課題を解決するための手段】
【００１１】
本考案が提供するスマートガスモニタリング装置は、クラウドデータベースと通信接続でき、該クラウドデータベースがマイコンガスメーターと検知器のモニタリングを行うコントロールセンターに通信接続され、遠隔検針、料金計算、オンライン支払い、及びマイコンガスメーターの機能のオン/オフ遠隔制御を実現することができる。
【００１２】
本考案のスマートガスモニタリング装置の一実施例の構造は、座体と、センサーユニットと、スマートモニタリングユニットと、ハウジングと、を含み、
該座体が少なくとも結合部を備え、
該センサーユニットが、ＣＯおよび／またはガスを検知し、対応する検知信号を出力する少なくとも１つの検知器を含み、
該スマートモニタリングユニットが、モニタリング装置と、ワイヤレス通信モジュールを含み、そのうち、該モニタリング装置が無線伝送方式でスマートガスメーターに接続され、ガス度数の取得と双方向のデータ及び信号伝送に用いられ、該モニタリング装置が該センサーユニットに電気的に接続され、該検知信号の取得に用いられ、そのうち、該モニタリング装置が少なくとも外部電源に電気的に接続された電力入力コネクタを備え、そのうち、該電力入力コネクタが該センサーユニット及び該スマートモニタリングユニットに電気的に接続され、外部電源を該センサーユニットと該スマートモニタリングユニットに供給し、該モニタリング装置が該ワイヤレス通信モジュールに電気的に接続され、クラウドデータベースと通信接続し、該モニタリング装置が該ワイヤレス通信モジュールを通じてガス度数を該クラウドデータベース及びコントロールセンターに伝送し、かつ該コントロールセンターからの制御信号を受信して、マイコンガスメーターに対しオフ、オン、復帰の操作を実行させることができ、
該ハウジングが、該センサーユニットと該スマートモニタリングユニットを収容し、該ハウジングと該座体を相互に重ねて結合することができ、該ハウジングが少なくともハウジング底部を備え、該ハウジング底部が該座体の結合部と結合させるためのクイック結合部材を備えている。
【００１３】
本考案のスマートガスモニタリング装置の好ましい実施例の構造として、そのうち、該センサーユニットが、ＣＯ検知器および／またはガス検知器を含み、そのうち、該ＣＯ検知器はＣＯを検知したとき第１検知信号を出力し、そのうち、該ガス検知器はガスを検知したとき第２検知信号を出力することができる。
【００１４】
本考案のスマートガスモニタリング装置の好ましい実施例の構造として、そのうち、該ハウジングが、第１ハウジングと第２ハウジングを含み、該センサーユニットが該第１ハウジング内に設置され、該スマートモニタリングユニットが該第２ハウジング内に設置され、そのうち、該第１ハウジングと該第２ハウジングが相互に重ねて結合でき、該ハウジング底部と該クイック結合部材が該第２ハウジングに設置される。
【００１５】
本考案のスマートガスモニタリング装置の好ましい実施例の構造として、そのうち、該ハウジング底部のクイック結合部材が、座体の方向に延伸された少なくとも２つの延伸部を含み、該延伸部の末端に係止片が設けられ、該ハウジング底部と該延伸部が同一の回転点を回転の中心として第１位置から第２位置まで回動させることができ、該座体の結合部が該クイック結合部材の数量に合わせて対応する嵌合片を含み、該ハウジング底部の該延伸部を該座体の方向に該第１位置に挿入すると、該ハウジング底部と該座体を結合させることができ、該回転点を回転の中心として該ハウジング底部を該第１位置から該第２位置まで回動させると、該延伸部の係止片を対応する結合部の嵌合片と相互に嵌合させることができる。
【００１６】
そのうち、該ワイヤレス通信モジュールが、Ｌｏｒａ、ＷｉＦｉ、３Ｇ、４Ｇ、Ｂｌｕｅｔｏｏｔｈ（登録商標）通信モジュールのうちのいずれかを含む。
【００１７】
本考案のスマートガスモニタリング装置の好ましい実施例の構造はさらに、該ハウジング内に設置されたバックアップ電力ユニットを含み、該バックアップ電力ユニットが少なくとも、充電池と、電源管理回路と、電源アダプタを含み、該バックアップ電力ユニットが該電力入力コネクタに電気的に接続され、該電源管理回路が該電源アダプタを制御し、外部電源を使用して該充電池に充電させ、該電源管理回路が外部電源の切断または停電期間中、該充電池を制御して該スマートガスモニタリング装置に必要な電力を供給させる。
【考案の効果】
【００１８】
本考案のスマートガスモニタリング装置には、以下の有益な効果がある。
【００１９】
(１)ユーザー側のシステム設置時にスマートモニタリングユニットの設置に提供するためのスペースを別途探す手間がなくなる。
(２)センサーユニットとスマートモニタリングユニットが外部電源を共用でき、外部電源を増設する必要がなく、さらにはマイコンガスメーターの通信無線機を接続して使用する必要がない。
(３)既知のマイコンガスメーターの通信無線機の材料と設置コストを節約できる。
(４)外部電源の使用で既知のマイコンガスメーターの通信無線機のように定期的（例えば３年毎）に電池を交換する必要がない。
(５)無停電のバックアップ電力ユニットを備え、いつでもマイコンガスメーターと検知器のモニタリング機能を実現でき、即ち、商用電源が停電しても、該バックアップ電力ユニットを通じてモニタリングを継続することができる。
【００２０】
本考案の具体的な実施方式及びその他の利点と効果について、以下で図面を組み合わせて説明する。
【図面の簡単な説明】
【００２１】
【図１】本考案のスマートガスモニタリング装置をスマートガスモニタリングシステムに応用した構成を示す概略図である。
【図２】本考案のスマートガスモニタリング装置の一実施例の立体図である。
【図３】本考案のスマートガスモニタリング装置の別の一実施例の立体分解図である。
【図４】本考案のスマートガスモニタリング装置の組み立て動作を示す概略図である。
【図５】本考案のスマートガスモニタリング装置の組み立て動作を示す概略図である。
【図６】図５のＡ−Ａ線位置での断面構造図である。
【図７】本考案のスマートガスモニタリング装置の実施例２の立体図である。
【図８】本考案のスマートガスモニタリング装置の実施例２の立体分解図である。
【図９】図７のＢ−Ｂ線位置での断面構造図である。
【図１０】本考案のスマートガスモニタリング装置の実施例３の立体分解図である。
【考案を実施するための形態】
【００２２】
以下の実施するための形態において述べる上下左右を含む位置関係は、特別に記載がなければ、いずれも図面において示される方向に準じる。
【実施例１】
【００２３】
まず図２と図３に示す本考案のスマートガスモニタリング装置Ａの一実施例の立体図と立体分解図を参照する。本考案のスマートガスモニタリング装置Ａの一実施例の構造は、座体１０と、センサーユニット２０と、スマートモニタリングユニット３０と、ハウジング４０と、を含む。
【００２４】
座体１０は建築物の天井またはマイコンガスメーター９０に近接した適切な位置に設置するために用いられ、座体１０は少なくとも結合部１１を備えている。
【００２５】
センサーユニット２０は、少なくとも１つの検知器２１を含み、ＣＯ（一酸化炭素）および／またはガスを検知し、電気コネクタ２２を介して対応する検知信号を出力するために用いられ、環境中のＣＯおよび／またはガス漏れの有無を検知する機能を有する。
【００２６】
スマートモニタリングユニット３０は、モニタリング装置３１と、ワイヤレス通信モジュール３２を含み、モニタリング装置３１は基本的に回路板上に配置されたコントローラチップ（またはプロセッサー、ｐｒｏｃｅｓｓｏｒ）、コントローラチップに電気的に接続された入出力インターフェイスで構成された制御回路であり、該コントローラチップの好ましい実施態様は、フィールドプログラマブルゲートアレイ（ＦＰＧＡ）チップとすることができ、該入出力インターフェイスの実施態様は、ＧＰＩＯ、Ｉ２Ｃ、ＵＳＢ、ＵＡＲＴ、ＲＪ４５のいずれかのコネクタを含み、モニタリング装置３１はクラウドデータベースＤと通信接続するために用いるワイヤレス通信モジュール３２に電気的に接続される。つまり、モニタリング装置３１のコントローラチップは該入出力インターフェイスを介してワイヤレス通信モジュール３２に電気的に接続され、そのうち、ワイヤレス通信モジュール３２は、Ｌｏｒａ、ＷｉＦｉ、３Ｇ、４Ｇ、Ｂｌｕｅｔｏｏｔｈ（登録商標）通信モジュールのうちのいずれかを含む。
【００２７】
モニタリング装置３１は、無線伝送方式でスマートガスメーター９０に接続し、ガス度数の取得と双方向のデータ及び信号伝送を行うことができる。つまり、モニタリング装置３１のコントローラチップは、該ワイヤレス通信モジュール３２の入出力インターフェイスを介して無線伝送方式でスマートガスメーター９０との通信プロトコルを取得し、接続することができる。そのうち、モニタリング装置３１はさらにＵＳＢコネクタ３１を通じてケーブル（図示しない）でセンサーユニット２０の電気コネクタ２２に電気的に接続され、該検知信号を取得する。例えば、センサーユニット２０が出力する検知信号が電気コネクタ２２、ケーブル、ＵＳＢコネクタ３１１を通じてモニタリング装置３１に伝送され、さらにワイヤレス通信モジュール３２により伝送される。
【００２８】
モニタリング装置３１は少なくとも、外部電源に電気的に接続される電力入力コネクタ３３を備え、該電力入力コネクタ３３の実施態様は、例えば、ＤＣ電源ソケット（ＤＣ  Ｐｏｗｅｒ  Ｓｏｃｋｅｔ）を含むが、これに限らない。電力入力コネクタ３３はセンサーユニット２０に電気的に接続され、かつケーブルを介してスマートモニタリングユニット３０に接続され、外部電源をセンサーユニット２０とスマートモニタリングユニット３０に供給する。好ましい一実施態様として、外部電源は商用電源とすることができ、電力入力コネクタ３３を利用して一般的なＡＣ−ＤＣ電源アダプタ（Ａｄａｐｔｏｒ）を電気的に接続することで、ＡＣ−ＤＣ電源アダプタを使用して商用電源をセンサーユニット２０とスマートモニタリングユニット３０の使用に供することができる電力に変換できる。このため、センサーユニット２０とスマートモニタリングユニット３０は外部電源を共用でき、かつ既知の技術における通信無線機のように定期的（例えば３年毎）に電池を交換する必要がない。
【００２９】
ハウジング４０は該センサーユニット２０と該スマートモニタリングユニット３０を収容するために用いられ、該ハウジング４０と座体１０を相互に重ねて結合することができ、該ハウジング４０が少なくともハウジング底部４１を備え、該ハウジング底部４１が該座体１０の結合部１１と結合させるためのクイック結合部材４２を備えている。
【００３０】
図４に示すように、本考案のスマートガスモニタリング装置Ａの好ましい実施例の構造として、そのうち、該ハウジング底部４１のクイック結合部材４２が、座体１０の方向に延伸された少なくとも２つの延伸部４２１を含み、該延伸部４２１の末端に係止片４２２が設けられ、該ハウジング底部４１と該延伸部４２１が同一の回転点Ｐ１を回転の中心として第１位置（図４参照）から第２位置（図５参照）まで回動させることができ、該座体１０の結合部１１が該クイック結合部材４２の数量に合わせて対応する嵌合片１１０を含み、該ハウジング底部４１の該延伸部４２１を該座体１０の方向に結合部１１に挿入して該第１位置に到達させると、該ハウジング底部４１と該座体１０を結合させることができ、該回転点Ｐ１を回転の中心として該ハウジング底部４１を該第１位置から該第２位置まで回動させると、該延伸部４２１の係止片４２２を対応する結合部１１の嵌合片１１０と相互に嵌合させることができる（図６参照）。
【００３１】
図１に示す本考案のスマートガスモニタリング装置をスマートガスモニタリングシステムに応用した構成を示す概略図を参照する。本考案が提出するスマートガスモニタリング装置Ａは、クラウドデータベースＤ及びコントロールセンターＣと通信接続でき、マイコンガスメーターと検知器のモニタリングに用い、遠隔検針、料金計算、オンライン支払い、及びマイコンガスメーター９０のオン/オフ遠隔制御、及び復帰操作の機能を実現することができる。
【００３２】
一般に、マイコンガスメーター９０の構造は通常、遮断弁、内蔵電源、地震感知器、流量検知器、マイコンチップ、圧力検知器、計量部（ガスの使用量を計量し、対応するガス度数に変換するために用いる）、計量指示器、復帰装置を含む。同時に他の家事をしていてガスを使用していることを忘れても、所定の安全使用期間を超過すると、火災や窒息等の事故を回避するために、マイコンガスメーター９０の超過時間遮断機能が自動的にガスを切断し、安全を確保することもできる。ガス供給圧力が高すぎる、または低すぎる（例えば外管の破断）とき、マイコンガスメーター９０の圧力超過/圧力低下遮断機能が直ちにガスを遮断し、ガス供給回復時にガスがタップから漏れ出すことによる危険の発生を防止する。リクタースケール５以上の地震が発生した場合、地震遮断機能を備えたマイコンガスメーター９０は自動的にガスを遮断し、管線の破損による二次災害の発生を回避することもできる。
【００３３】
本考案のスマートガスモニタリング装置Ａは、天然ガス／ガス供給システム（ユーザー側にマイコンガスメーター９０を設置したガス管線供給システムを指す）に応用し、クラウドデータベースＤと通信接続することができ、そのうち、クラウドデータベースＤには１つまたは複数のガス会社のコントロールセンターＣがアクセスすることができ、つまり、クラウドデータベースＤは１つまたは複数のガス会社に設置されたコントロールセンターＣが通信接続することができる。このため、ガス会社は本考案のスマートガスモニタリング装置Ａを通じてマイコンガスメーター９０と検知器をモニタリングし、いつでもガス使用データ（例えばガス度数）の収集とガスの使用状態モニタリングを行うことができる。ガス使用データには、ガス度数及び検知器２１の状態が含まれる。図に示す一実施態様においては、複数のガス会社のコントロールセンターＣが１つまたは複数のクラウドデータベースＤを共用し、クラウドデータベースＤ中のガス使用データの読み取りに用いることができる。図１に示す通信接続は、該スマートモニタリングユニット３０の無線通信モジュール３２、信号集中ステーション８１、通信事業者基地局８２で構成される通信ネットワークを通じて、コントロールセンターＣ及びクラウドデータベースＤとデータ／制御信号の送受信を行うが、これに限らない。
【００３４】
該モニタリング装置３１はワイヤレス通信モジュール３２を介してガス度数をクラウドデータベースＤに送信し、かつコントロールセンターＣからの制御信号を受信して、マイコンガスメーター９０に対しオフ、オン、復帰の操作を実行させることができる例えば、地震災害またはユーザーのガス料金未払いが発生した場合、コントロールセンターＣが該制御信号を送信し、遠隔の強制遮断メカニズムを通じてマイコンガスメーター９０をオフにする。マイコンガスメーター９０がオフにされた後は、コントロールセンターＣがオフ原因の解除を確認した後のみ、コントロールセンターＣが該制御信号（例えば地震信号リセット）を送信し、コントロールセンターＣが遠隔制御メカニズムを通じてマイコンガスメーター９０を再度オンにする、または復帰させる。このように、遠隔検針、料金計算、オンライン支払い、マイコンガスメーター９０オン/オフの遠隔制御機能を実現する。
【００３５】
また、ユーザーはスマートフォンにダウンロードしたアプリケーション（アプリ）を利用してスマートモニタリングユニット３０を遠隔制御し、ガス度数の読み取りやマイコンガスメーター９０の緊急停止操作を実行することができる。好ましい実施方式において、ユーザーはガス会社に授権を申請して取得してから、スマートフォンにダウンロードしたアプリケーション（アプリ）を利用し、コントロールセンターＣを介してガス度数の読み取りやマイコンガスメーター９０の緊急停止機能を実現することができる。
【００３６】
本考案のスマートガスモニタリング装置Ａの好ましい実施例の構造として、そのうち、該センサーユニット２０の検知器２１の好ましい実施例の構造は、ＣＯ検知器および／またはガス検知器を含み、そのうち、ガス検知器はガス漏れを検知したときマイコンガスメーター９０に対して第２検知信号を送信することができる。ＣＯ検知器は一酸化炭素を検知したときマイコンガスメーター９０に第１検知信号を送信することができる。一般に、マイコンガスメーター９０には４本の電気接続線があり、そのうち２本は電力入力コネクタ３３の電力供給に接続し、２本は無電圧接点信号線（赤白線）でガス検知器及びＣＯ検知器に電気的に接続し、該第１検知信号または該第２検知信号の受信に用いることができる。マイコンガスメーター９０が該第１検知信号または該第２検知信号を受信すると、マイコンガスメーター９０の遮断機能が遮断弁を制御して直ちにガスの供給を遮断し、ガス爆発や中毒事件を防止する。
【実施例２】
【００３７】
図７〜図９に示す本考案のスマートガスモニタリング装置Ａの実施例２の立体図、立体分解図、断面構造図を参照する。本考案のスマートガスモニタリング装置Ａの第２の好ましい実施例の構造は、該ハウジング４０が、第１ハウジング４０Ａと第２ハウジング４０Ｂを含み、該センサーユニット２０が該第１ハウジング４０Ａ内に設置され、該スマートモニタリングユニット３０が該第２ハウジング４０Ｂ内に設置され、かつ背面板３４が閉じ合わされて位置決めされ、そのうち、該第１ハウジング４０Ａと該第２ハウジング４０Ｂが係止部４３と係止孔４４による位置決めを通じて相互に重ねて結合され、そのうち、該ハウジング底部４１とクイック結合部材４２が該第２ハウジング４０Ｂに設けられる。
【実施例３】
【００３８】
図１０に示す本考案のスマートガスモニタリング装置Ａの第３の好ましい実施例の構造は、さらに該ハウジング４０内にバックアップ電力ユニット５０が設置される。図８に示すハウジング４０は図２に示す構造で表示しているが、これに限らず、即ち、該バックアップ電力ユニット５０は図６に示す実施例の構造における第１ハウジング４０Ａまたは第２ハウジング４０Ｂに設置してもよい。該バックアップ電力ユニット５０は一般的な充電式の電力と理解することができ、バックアップ電力ユニット５０は少なくとも充電池と、電源管理回路と、電源アダプタを含み、該バックアップ電力ユニット５０が該電力入力コネクタ３３に電気的に接続され、該電源管理回路が該電源アダプタを制御し、外部電源を使用して該充電池に充電させ、該電源管理回路が外部電源の切断または停電期間中、充電池を制御して該スマートガスモニタリング装置Ａに必要な電力を供給させる。
【符号の説明】
【００３９】
Ａ  スマートガスモニタリング装置
Ｃ  コントロールセンター
Ｄ  クラウドデータベース
Ｐ１  回転点
１０  座体
１１  結合部
１１０  嵌合片
２０  センサーユニット
２１  検知器
２２  電気コネクタ
３０  スマートモニタリングユニット
３１  モニタリング装置
３１１  ＵＳＢコネクタ
３２  ワイヤレス通信モジュール
３３  電力入力コネクタ
３４  背面板
４０  ハウジング
４０Ａ  第１ハウジング
４０Ｂ  第２ハウジング
４１  ハウジング底部
４２  クイック結合部材
４３  係止部
４４  係止孔
４２１  延伸部
４２２  係止片
５０  バックアップ電力ユニット
８１  信号集中ステーション
８２  通信事業者基地局
９０  マイコンガスメーター
【図１】
0003229817.tif 000003
【図２】
0003229817.tif 000004
【図３】
0003229817.tif 000005
【図４】
0003229817.tif 000006
【図５】
0003229817.tif 000007
【図６】
0003229817.tif 000008
【図７】
0003229817.tif 000009
【図８】
0003229817.tif 000010
【図９】
0003229817.tif 000011
【図１０】
0003229817.tif 000012